(57)【特許請求の範囲】
【請求項１】
水道水を導入する導入部と、浄化した浄水を送出する送出部とを備え、
一または複数の建物への水道水の入口に配されて、内蔵された浄化材によって、上記導入部から導入した水道水から不純物を除去し、
次いでこの浄水に塩素を添加し、複数の浄水使用器具へ供給するセントラル浄水装置であって、
上記浄化材として、カビ臭を除去する活性炭からなる浄化材と、不純物を濾過する中空糸膜からなる浄化材とを有し、 
不要なイオン成分を凝集する凝集剤を上記水道水に添加して、その凝集剤を添加した水を中空糸膜からなる浄化材に供給し、
これらを上流側から、上記活性炭からなる浄化材、上記凝集剤の添加位置、上記中空糸膜からなる浄化材の順に配置するとともに、
上記中空糸膜からなる浄化材に蓄積された不純物を洗い流して排出する逆洗浄装置が設けられており、 
上記中空糸膜からなる浄化材の下流側に、上記浄水に塩素を添加する塩素添加部を備え、この塩素添加部にて塩素を添加した浄水を上記送出部から送出することを特徴とするセントラル浄水装置。
【請求項２】
上記塩素添加部で塩素を添加された水が、上記送出部より送出される水に使用されるとともに、上記逆洗浄装置において、上記中空糸膜からなる浄化材を逆洗浄する水としても使用されることを特徴とする請求項１記載のセントラル浄水装置。
【請求項３】
上記逆洗浄装置において、上記中空糸膜からなる浄化材を逆洗浄する水に予め塩素が追加的に添加され、
かつ、上記逆洗浄装置において添加される塩素と、上記塩素添加部で添加される塩素とは、同一の塩素供給源から供給されることを特徴とする請求項２に記載のセントラル浄水装置。
【請求項４】
上記逆洗浄装置において、上記中空糸膜からなる浄化材を逆洗浄した水に、還元剤を添加することを特徴とする請求項１に記載のセントラル浄水装置。
【発明の詳細な説明】
【技術分野】
【０００１】
本発明は、水道水を浄化して複数の家庭等または浄水使用器具に浄水を供給するセントラル浄水装置およびこれを用いた浄水システムに関する。
【背景技術】
【０００２】
近年、水道水から残留塩素（次亜塩素酸）、カビ臭、濁り、微生物等を除去することを目的とした小型浄水器が広く普及している。
これらの浄水器には、水道水中の残留塩素、異味や異臭を取り除く活性炭、セラミックフィルタや、濁質や微生物を取り除く精密濾過膜、中空糸膜等が用いられていた。
このような浄水器を住居等に設ける場合、台所の蛇口やシンク下に設置されることが多く、水道水を飲用や調理用に適するように浄化していた。
【０００３】
一方で、ビル全体や建物内の全域で浄化した水道水を使用したい、あるいは井戸水を浄化してビル全体や建物内で使用したいといったニーズが存在したが、全ての浄水の使用場所にそれぞれ浄水器を設置するのは煩雑である。そこで、建物へ水道水等を導入する入口に大型の浄水器を取り付けて、水道水をまとめて浄化して建物全体に給水する浄水システムも普及し始めている。
これらの大型浄水器も、小型浄水器と同様に活性炭、セラミックフィルタ、精密濾過膜などで構成され、これらを通過させることにより水道水中の残留塩素や濁質等を取り除き、建物内にある複数の浄水の使用場所へ浄水を供給する。
【０００４】
従来の浄水システムは、建物へ水道水等を導入する入口付近に設けられたセントラル浄水装置と、住宅等に付設された配管と、浄水の使用場所である台所、浴室、洗面所、洗濯場、トイレ、給湯器、屋外取水場等に設けられた蛇口等の浄水使用器具とから構成されている。
【０００５】
このような浄水システムにおいて、セントラル浄水装置は、水道本管より分岐され住宅へ付設された水道配管に繋げて配置されている。セントラル浄水装置には、活性炭、セラミックフィルタ、精密濾過膜等から構成される浄化材が収容され、水道本管から給水された水道水は、この浄化材を通過させることにより残留塩素、濁質、金属イオン、微生物、化学物質等を取り除かれて浄水となる。
セントラル浄水装置で処理された浄水は配管を通り、各家庭等、および浄水の使用場所に設けられた各浄水使用器具へ供給されていた。
【０００６】
しかし、このような浄水システムでは、セントラル浄水装置で浄化された浄水は、セントラル浄水装置で処理された直後は水質が保証されるが、浄水使用器具までの配管内で細菌が繁殖したり、配管継ぎ手部等から細菌や不純物が侵入したりするおそれがあり、使用時に飲用に適さない状態となっている可能性があった。
【０００７】
このような問題に対し、特許文献１には、セントラル浄水装置で残留塩素を除去せずに他の不純物を取り除き、あるいは残留塩素の一部のみを除去するとともに、浄水使用器具に設けた二次浄水装置にて残留塩素を除去することにより、浄水使用器具までの配管内における浄水の殺菌効果を維持することができる浄水システムが記載されている。
【先行技術文献】
【特許文献】
【０００８】
【特許文献１】特許第３９５１２２７号公報
【０００９】
水道水の不純物を除去するには活性炭が好適であるが、活性炭は水道水中の残留塩素をも除去するため、特許文献１のセントラル浄水装置には活性炭を用いることができず、塩素以外の不純物が除去されていない水が浄水使用器具までの配管に流されてしまう。また、セントラル浄水装置の一部に活性炭を用いる場合にも、活性炭を通過していない水も下流側に供給されるため、やはり塩素以外の不純物が除去されていない水が浄水使用器具までの配管に流されてしまう。
【００１０】
そのため、浄水システムでの水道水の浄化において、二次浄水装置での浄化の割合が大きくなり、単位時間当たりの濾過水量が不足したり、二次浄水装置に用いる浄化材の製品寿命が短期化したり、二次浄水装置を大型化しなければならないなどの問題が生じていた。
また、各家庭や各浄水使用器具で二次浄水装置を使用しない場合や浄水器のカートリッジを外して使用してしまった場合には、セントラル浄水装置で十分に濾過されなかった不純物を含む水が吐水されてしまうおそれもあった。
【発明の概要】
【発明が解決しようとする課題】
【００１１】
本発明は上記問題点を解決するためになされたものであり、水道水から不純物を除去することができ、かつ、使用者が用いる浄水使用器具までの間の浄水の水質を維持することができるセントラル浄水装置、およびこれを用いた浄水システムを提供することを課題とする。
【課題を解決するための手段】
【００１２】
本発明において、上記課題が解決される手段は以下の通りである。
第１の発明は、一または複数の建物への水道水の入口に配されて、導入した水道水を浄化して複数の浄水使用器具へ供給するセントラル浄水装置であって、浄化材を通過させて、上記水道水から残留塩素および他の不純物を除去し、次いでこの浄水に塩素を添加することを特徴とする。
【００１３】
第２の発明は、水道配管から上記水道水を導入する導入部と、活性炭を含む上記浄化材を通過させて、上記水道水から残留塩素およびカビ臭を除去する浄化部と、上記浄化部の下流側に配置され上記浄化部で処理した浄水に塩素を添加する塩素添加部と、この塩素を添加した浄水を送出する送出部とを備えたことを特徴とする。
【００１４】
第３の発明は、導入した水道水を浄化して複数の浄水使用器具へ供給するセントラル浄水装置であって、水道水に浄化材を通過させて残留塩素および他の不純物を除去し、次いでこの浄水に塩素を添加して、上記各浄水使用器具へ送出する塩素浄水系統と、水道水に上記浄化材を通過させずに水道水使用器具へ送出する原水系統および／または水道水に上記浄化材を通過させて残留塩素を除去し上記水道水使用器具へと送出する浄水系統とを有することを特徴とする。
【００１５】
第４の発明は、第１の発明のセントラル浄水装置と、上記浄水使用器具に配されて、二次浄化材を通過させて上記セントラル浄水装置より供給された浄水から塩素を除去する二次浄水装置とを備えたことを特徴とする浄水システムである。
【００１６】
第５の発明は、第２の発明のセントラル浄水装置と、上記浄水使用器具に配されて、二次浄化材を通過させて上記セントラル浄水装置より供給された浄水から塩素を除去する二次浄水装置とを備え、活性炭を含む上記二次浄化材は、上記浄水からカビ臭を除去することを特徴とする浄水システムである。
【００１７】
第６の発明は、上記セントラル浄水装置を経由せずに水道水を水道水使用器具へ送出する原水系統を有することを特徴とする。
【発明の効果】
【００１８】
第１の発明によれば、一または複数の建物への水道水の入口に配されて、導入した水道水を浄化して複数の浄水使用器具へ供給するセントラル浄水装置であって、浄化材を通過させて、上記水道水から残留塩素および他の不純物を除去し、次いでこの浄水に塩素を添加することにより、セントラル浄水装置から浄水使用器具への配管においても細菌の繁殖を防止し、使用者に安全な浄水を供給することができるとともに、二次浄水装置での浄化の割合を軽減して寿命を長期化させることができる。
【００１９】
第２の発明によれば、水道配管から上記水道水を導入する導入部と、活性炭を含む上記浄化材を通過させて、上記水道水から残留塩素およびカビ臭を除去する浄化部と、上記浄化部の下流側に配置され上記浄化部で処理した浄水に塩素を添加する塩素添加部と、この塩素を添加した浄水を送出する送出部とを備えたことにより、残留塩素およびカビ臭を除去した浄水を提供することができる。
【００２０】
第３の発明によれば、導入した水道水を浄化して複数の浄水使用器具へ供給するセントラル浄水装置であって、水道水に浄化材を通過させて残留塩素および他の不純物を除去し、次いでこの浄水に塩素を添加して、上記各浄水使用器具へ送出する塩素浄水系統と、水道水に上記浄化材を通過させずに水道水使用器具へ送出する原水系統および／または水道水に上記浄化材を通過させて残留塩素を除去し上記水道水使用器具へと送出する浄水系統とを有することにより、安全な浄水を必要としない水道水使用器具に水道水または塩素を添加していない浄水を供給することで、塩素を添加した浄水の消費量を節減することができ、セントラル浄水装置の寿命を長期化するとともに浄水システムのランニングコストを低下させることができる。
【００２１】
第４の発明によれば、第１の発明のセントラル浄水装置と、上記浄水使用器具に配されて、二次浄化材により上記セントラル浄水装置より供給された浄水から塩素を除去する二次浄水装置とを備えたことにより、セントラル浄水装置から浄水使用器具への配管においても細菌の繁殖を防止し、二次浄水装置で塩素を除去して、使用者に安全な浄水を供給することができるとともに、二次浄水装置での浄化の割合を軽減して寿命を長期化させることができる。
【００２２】
第５の発明によれば、第２の発明のセントラル浄水装置と、上記浄水使用器具に配されて、二次浄化材を通過させて上記セントラル浄水装置より供給された浄水から塩素を除去する二次浄水装置とを備え、活性炭を含む上記二次浄化材は、上記浄水からカビ臭を除去することにより、残留塩素およびカビ臭を除去した浄水を提供することができる。
【００２３】
第６の発明によれば、上記セントラル浄水装置を経由せずに水道水を水道水使用器具へ送出する原水系統を有することにより、安全な浄水を必要としない水道水使用器具に水道水を供給することで、塩素を添加した浄水の消費量を節減することができ、セントラル浄水装置の寿命を長期化するとともに浄水システムのランニングコストを低下させることができる。
【図面の簡単な説明】
【００２４】
【図１】本発明の第一実施形態に係る浄水システムの模式図である。
【図２】同浄水システムのセントラル浄水装置の模式図である。
【図３】同セントラル浄水装置の活性炭フィルターを示す図であり、（ａ）は一部切り欠き斜視図、（ｂ）は水の流れを示す説明図である。
【図４】同セントラル浄水装置の膜モジュールを示す一部切り欠き斜視図である。
【図５】同膜モジュールの中空糸膜を示す図であり、（ａ）は内圧式の説明図、（ｂ）は外圧式の説明図である。
【図６】本発明の別態様の例３に係る浄水システムの模式図である。
【図７】本発明の別態様の例４に係る浄水システムの模式図である。
【図８】本発明の別態様の例を示す表である。
【発明を実施するための形態】
【００２５】
以下、本発明の第一実施形態に係る浄水システムについて説明する。
この浄水システムは、ビルや一戸建て、集合住宅といった建物の内外に設けられる複数の器具で水道水を浄化して使用するためのものである。
図１に示すように、この浄水システムでは、水道本管から分岐され建物１へ付設された水道配管に繋げて、セントラル浄水装置２が配置されており、建物１で使用する水道水の全てがセントラル浄水装置２を通過するようになっている。このセントラル浄水装置２には浄化材が内蔵され、導入した水道水から残留塩素および他の不純物を除去し、次いでこれによって得た浄水に塩素を添加して、浄水を使用する器具（浄水使用器具）へと送出する。
なお、水の使用量を測る計量器である量水器は、セントラル浄水装置２の上流側に設置しても、セントラル浄水装置２内に設置しても、セントラル浄水装置２の下流側、例えば各家庭や事務所等に個別に設置してもよい。
【００２６】
浄水使用器具３は、建物の浄水使用箇所である台所、浴室、洗面所、洗濯場、トイレ、給湯器、屋外取水場等に設置される蛇口４、８、９、給湯器５、便器６、洗濯機７等を例示することができる。
それぞれの浄水使用器具３には、セントラル浄水装置２から供給された浄水から添加された塩素を除去するための二次浄水装置が設けられ、塩素を除去した浄水を吐出して使用することができるようになっている。
セントラル浄水装置２からそれぞれの浄水使用器具までは配管（塩素浄水系統１０）によって接続されている。
【００２７】
また、本発明の浄水システムには、マンションやアパート等の集合建物の水道配管の入口に配されるセントラル浄水装置２と各家庭や事務所等に配される二次浄水装置とを有する浄水システム、複数の戸建てへの水道配管の入口に配されて複数の戸建てに一括して浄水を供給するセントラル浄水装置と各戸建てに配される二次浄水装置とを有する浄水システム、および、一以上の戸建ておよび／または一以上の集合建物に配される二次浄水装置も含まれる。なお、戸建てには、住居用の戸建てのみならず、事務所用の戸建ても含まれる。
本発明のセントラル浄水装置は、上記で例示した様々な浄水システムに使用することができるものである。さらに、浄水の使用量が多い場合には、複数のセントラル浄水装置を並設した浄水システムを採用してもよい。
【００２８】
図２から図５に示すように、セントラル浄水装置２は、活性炭からなる浄化材（活性炭フィルター１１）と、中空糸膜からなる浄化材（膜モジュール１３）とを具備しており、この浄化材を通過した水道水から、残留塩素、カビ臭、濁質、金属イオン、微生物、化学物質を除去することができる。
活性炭からなる浄化材は、図３（ａ）に示すように、合成樹脂を成形してなり通水性を有する内側コア１１ａの周囲に、全体として円筒形状に形成され、外側不織布１１ｂと内側不織布１１ｄとで挟持された活性炭層１１ｃを配置し、底面を塞いだ活性炭フィルター１１となっている。活性炭層１１ｃは、円筒形状に成形した活性炭を使用し、もしくは粒状の活性炭を全体として円筒形状になるように充填している。
図３（ｂ）に示すように、この活性炭フィルター１１はケース（図示せず）に収容され、ケース内に導入された水道水は、活性炭フィルター１１を外周側から中心部へ通過して、下流側へ送出される。
導入される水道水が活性炭フィルター１１を通過するときに、水道水に含まれる残留塩素、カビ臭が除去される。
なお、活性炭からなる浄化材は、上述の活性炭フィルターの形態に限定されるものではなく、活性炭を浄化材として用いる他の形態であってもよい。
【００２９】
残留塩素とは、浄水場で水に投入された塩素であり、塩素を水に溶かした際に発生する次亜塩素酸および次亜塩素酸イオンを含んでいる。また、活性炭を含む浄化材は、塩素が水中の有機物と化合して発生するクロロホルム、ブロモホルムといったトリハロメタンも水道水から除去する。
一般的に水道水中の塩素濃度は０．６〜１．３ｍｇ／ｌ程度であるが、このセントラル浄水装置２では、活性炭からなる浄化材（例えば活性炭フィルター１１）を通過させることにより、水道水に含まれる残留塩素の例えば８０％程度を除去する。活性炭フィルター１１による残留塩素の除去率は６０％以上、さらに７０％以上、特に８０％以上とするのがよい。これにより、活性炭からなる浄化材、例えば活性炭フィルター１１を通過した水に含まれる残留塩素の濃度を、０．２ｍｇ／ｌ以下程度にすることができる。水に含まれる残留塩素の濃度は、０．１ｍｇ／ｌ以下となるようにするのがより好ましく、０．０５ｍｇ／ｌ以下となるようにするのがさらにより好ましい。
なお、残留塩素の濃度ないし塩素濃度とは、水中の塩素分子、次亜塩素酸、次亜塩素酸イオンの濃度の合計をいう。
また、カビ臭を除去するとは、カビ臭を発生させるジオスミン（（４Ｓ，４ａＳ，８ａＲ）−４，８ａ−ジメチル−１，２，３，４，５，６，７，８−オクタヒドロナフタレン−４ａ−オール）、および／または、２−ＭＩＢ（２−メチルイソボルネオール）を水道水から除去することをいう。
【００３０】
図４に示すように、中空糸膜からなる浄化材としては、均一な長さに揃えた多数の筒状の中空糸膜１２を用い、円筒ケースに並列に収容した膜モジュール１３を形成している。使用する中空糸膜１２は、強度が高く耐薬品性に優れるポリフッ化ビニリデン（ＰＶＤＦ）製で、分画分子量１５０，０００Ｄａの膜を用いる。膜モジュール１３内には、約５０００本の中空糸膜１２を収容している。
図５（ｂ）に示すように、この膜モジュール１３では、並列に収容された各中空糸膜１２の外周側に供給された水道水が中心部へと中空糸膜１２を通過するときに、クリプトスポリジウム等の原虫類や、大腸菌等の細菌類、濁質を除去することができる外圧式ろ過法を採用している。
これとは逆に、各中空糸膜１２の中心部に供給した水道水を外周側へと通過させる内圧式ろ過法（図５（ａ））を採用してもよい。
なお、中空糸膜からなる浄化材は、上述の膜モジュールの形態に限定されるものではなく、中空糸膜を浄化材として用いる他の形態であってもよい。
【００３１】
セントラル浄水装置２の浄化材としては、ＲＯ膜、ＵＦ膜、活性炭、ゼオライト、中空糸膜等を使用することができ、カビ臭を除去するために少なくとも活性炭を使用することが好ましく、また、不純物の濾過を十分に行うために中空糸膜を使用することが好ましく、例えば、活性炭と中空糸膜を併用するのがよい。
なお、各浄化材は、別々の部材内に格納して個別浄化部材とし、その各々の個別浄化部材を配管等で繋いでセントラル浄水装置２に配設しても、２以上の浄化材を１つの部材内に格納して集合浄化部材とし、その集合浄化部材をセントラル浄水装置２内に配設してもよい。また、個別浄化部材と集合浄化部材とを併用し、それらを配管等で繋いでセントラル浄水装置２内に配設してもよい。
活性炭と中空糸膜とを１つの部材内に格納して集合浄化部材とする場合は、当浄化部材に通水する水が、活性炭と中空糸膜との両方を必ず通るようにするのがよい。なお、この場合において、活性炭を上流側、中空糸膜を下流側とした活性炭上流型部材としても、中空糸膜を上流側、活性炭を下流側とした中空糸膜上流型部材としてもよい。
【００３２】
また、図２に示すように、このセントラル浄水装置は、次亜塩素酸タンク１４および定量ポンプ１５からなる塩素添加部を有している。
次亜塩素酸タンク１４には、次亜塩素酸ナトリウム水溶液を貯留してあり、定量ポンプ１５と配管を介して、活性炭からなる浄化材（例えば活性炭フィルター１１）および中空糸膜を用いた浄化材（例えば膜モジュール１３）を通過した浄水に次亜塩素酸ナトリウムを添加することができる。
次亜塩素酸タンク１４内の溶液の濃度および定量ポンプ１５の動作は、次亜塩素酸ナトリウムを添加された浄水の塩素濃度が０．３〜１ｍｇ／ｌとなるように調整される。次亜塩素酸ナトリウムを添加することにより、水中で次亜塩素酸イオンに電離するとともにその一部が水と反応して次亜塩素酸となるため、これらの殺菌力によってセントラル浄水装置２から浄水使用器具３までの配管における菌の繁殖を防止することができ、使用者が飲用等に用いるまで浄水の安全性を維持することができる。
次亜塩素酸ナトリウムを添加された浄水の塩素濃度は、殺菌力と二次浄水装置での塩素除去の容易性との関係から、下限値としてはさらに０．４ｍｇ／ｌ以上、特に０．５ｍｇ／ｌ以上にするのが好ましく、また上限値としてはさらに０．８ｍｇ／ｌ以下、特に０．７ｍｇ／ｌ以下にするのが好ましい。
【００３３】
その他の変形例として、次亜塩素酸ナトリウム水溶液の代わりに次亜塩素酸水溶液をタンクに貯留し、定量ポンプ１５によってこれを浄水に添加してもよい。
また、塩化ナトリウム水溶液を電気分解して次亜塩素酸を生成する装置を用い、定量ポンプによって次亜塩素酸を浄水に添加してもよい。
これらのように、水中の次亜塩素酸または次亜塩素酸イオンを増加させることを、塩素を添加するという。
これらの中では、入手が容易である次亜塩素酸ナトリウムを用いるのがより好ましい。
【００３４】
塩素を添加された浄水が供給される二次浄水装置は、建物の内外に設けられた浄水使用器具３に取り付けられ、あるいはこれと一体に設けられる。二次浄水装置は、少なくとも浄水中の塩素を除去することができる二次浄化材を具備している。
この二次浄水装置により残留塩素の６０％以上、さらに７０％以上、特に８０％以上を除去するのがよい。また、二次浄水装置を通過した水に含まれる残留塩素の濃度は、０．２ｍｇ／ｌ以下、０．１ｍｇ／ｌ以下、さらに０．１ｍｇ／ｌ以下、特に０．０５ｍｇ／ｌ以下となるようにするのが好ましい。残留塩素の濃度ないし塩素濃度とは、水中の塩素分子、次亜塩素酸、次亜塩素酸イオンの濃度の合計をいう。
この二次浄水装置には、例えば特許第３７９９００７号公報や特許第４６４８５０７号公報に開示されるようなシャワーヘッドを採用することができる。二次浄水装置は、このように蛇口（浄水使用器具）と一体型のものであっても外付け型のものであってもよいが、設置スペースを小さくするため、一体型のものを用いるのが好ましい。
本発明の浄水システムでは、セントラル浄水装置によってあらかじめ不純物が除去されており、二次浄水装置は少なくとも塩素を除去できればよい。よって、二次浄水装置として蛇口等（浄水使用器具）と一体型の装置を用いることにより、浄水システム全体の衛生性、二次浄水装置の省スペース化、浄水システム全体および／または二次浄水装置のコスト低減を両立できる。
【００３５】
二次浄水装置は、浄水から塩素やその他の不純物を除去する二次浄化材を内蔵している。
この二次浄化材には、活性炭、ＲＯ膜、殺菌セラミック、イオン交換樹脂、ゼオライト、亜硫酸カルシウム等を使用でき、塩素除去性能を付加するため、少なくとも活性炭か亜硫酸カルシウムの一方を使用する必要がある。亜硫酸カルシウムは水に溶け出すことで塩素を除去するため、長期間飲用に使用する浄水使用器具３には活性炭を用いるのが好ましい。また、活性炭を含む二次浄化材を使用した場合には、浄水からさらにカビ臭を除去することができる。
なお、二次浄水装置の大型化を抑止し、単位水量あたりの塩素除去能力を高め、使用経時における塩素除去能力の低下を抑止するために、二次浄化材としては、短繊維状の活性炭と粒子状の活性炭とを併用するのが好ましい。
【００３６】
本発明の浄水システムでは、既にセントラル浄水装置２で浄化された浄水が二次浄水装置に供給されるので、二次浄水装置では少なくとも塩素を除去できればよく、二次浄化材に必要とされる浄化能力を比較的小さなものとすることができる。
また、浄水使用器具３は、供給される浄水の全てが二次浄水装置を通過して浄化されるようにする必要はなく、一部が二次浄水装置を通過せずに使用されるようにしてもよい。また、特許第３７９９００７号公報に記載されたシャワーヘッドのように、供給される浄水の全てについて、二次浄化材を通過させて浄化する流路と通過させずに吐出する流路とを切り換える流路切換弁を設けてもよい。
【００３７】
以下、セントラル浄水装置２および浄水システムのその他の構造について説明する。
図２に示すように、水道本管から供給される水道水は、活性炭からなる浄化材（例えば活性炭フィルター１１）を通過して残留塩素、カビ臭を除去され、原水タンク１６に流れ込み、ここに貯めることもできる。
活性炭からなる浄化材（例えば活性炭フィルター１１）から原水タンク１６への配管の途中には、凝集剤タンク１７からの配管が接続されている。凝集剤タンク１７には、水中の重金属、亜硝酸態窒素などの不要なイオン成分を凝集して除去するための薬剤である凝集剤が貯留されており、凝集剤ポンプ１８によって水に添加される。
【００３８】
原水タンク１６の水は、原水ポンプ１９によって中空糸膜からなる浄化材（例えば膜モジュール１３）に送水され、中空糸膜１２によって原虫類、細菌類、濁質を除去される。
中空糸膜からなる浄化材（例えば膜モジュール１３）からセントラル浄水装置２の外部へ浄水を送出する配管の途中には、次亜塩素酸タンク１４からの配管が接続され、定量ポンプ１５によって浄水に次亜塩素酸ナトリウムを添加し、一定の塩素濃度にすることができる。
【００３９】
セントラル浄水装置２から配管を経由して浄水を供給された各浄水使用器具３では、浄水が二次浄水装置の二次浄化材を通過する際に少なくとも塩素を除去され、それぞれの用途に用いられる。
【００４０】
なお、セントラル浄水装置２における活性炭からなる浄化材（例えば活性炭フィルター１１）の位置は、中空糸膜からなる浄化材（例えば膜モジュール１３）の上流側、例えば、凝集剤タンク１７からの配管との合流部の上流側とするほか、中空糸膜からなる浄化材（例えば膜モジュール１３）の下流側で次亜塩素酸タンク１４からの配管との合流部より上流側（１１´）としてもよい。
活性炭からなる浄化材（例えば活性炭フィルター１１）の位置を、中空糸膜からなる浄化材（例えば膜モジュール１３）の上流側とすると、活性炭からなる浄化材で不純物をある程度除去できるので、中空糸膜からなる浄化材（例えば膜モジュール１３）の濾過寿命を長くしたり、中空糸膜からなる浄化材（例えば膜モジュール１３）の小型化および／または装置コスト低減が可能になる。また、活性炭からなる浄化材（例えば活性炭フィルター１１´）の位置を中空糸膜からなる浄化材（例えば膜モジュール１３）の下流側とすると、中空糸膜からなる浄化材（例えば膜モジュール１３）に通水する水が塩素を含有するため、セントラル浄水装置における塩素含有領域の範囲が広くなり、セントラル浄水装置内の雑菌繁殖を抑えるなどの衛生上の効果がある。
【００４１】
本発明のセントラル浄水装置２には、膜モジュール１３で蓄積された不純物を洗い流して排出する逆洗浄装置が設けられている。
逆洗浄装置の逆洗タンク２０には、塩素を添加された浄水を三方弁２８によって分岐させて貯留することができるようになっている。
逆洗タンク２０に貯められた水は、逆洗ポンプ２１によって膜モジュール１３に出口側から流入し、中空糸膜１２を逆流しながら蓄積物を洗い流す。この水は、膜モジュール１３に接続された逆洗排水パイプ２２を通って排水される。また、中空糸膜１２の下流側を洗浄した水は、膜モジュール１３に接続された逆洗排水パイプ２３を通り、逆洗排水パイプ２２に合流して排水される。
逆洗浄に用いる浄水の殺菌力を高めるため、逆洗タンク２０から膜モジュール１３へ逆流する配管を通過する浄水に、次亜塩素酸タンク１４から逆洗次亜塩素酸ポンプ２４によって次亜塩素酸ナトリウムを添加するようになっている。
膜モジュール１３を洗浄した水に、排水として流すことが法令上禁止されている物質が含まれる場合には、還元剤ポンプ２６によって還元剤タンク２５から還元剤を添加し、所定の濃度以下になるように化学的に処理してから排水することができる。
配管の経路中の所定位置には、エアー圧でバルブを開閉する自動弁２９またはコックを設けて、水の浄化および膜モジュールの逆洗浄の各段階において原水、浄水の流れを制御できるようにしている。
【００４２】
このようなセントラル浄水装置２および浄水システムでは、セントラル浄水装置２の浄化材が水道水から不純物を除去するため、安全性の高い浄水を供給することができるとともに、二次浄水装置の浄化負担を軽減して寿命を長期化することができる。
また、セントラル浄水装置２で浄化した浄水に塩素を添加し、二次浄水装置で浄水から塩素を除去することにより、次亜塩素酸や次亜塩素酸イオンの殺菌力によって、セントラル浄水装置から浄水使用器具までの配管内で細菌が繁殖するのを防止することができる。
なお、第一実施形態において説明した個々の構成、規定、効果等は、本発明全体に個別に適用できるものであり、例えば、以下の別態様においても適用できるものである。
【００４３】
＜別態様＞
第一実施形態の浄水システムでは、建物１で使用する水道水の全てが、セントラル浄水装置２によって浄化され、次いで塩素を添加されて各浄水使用器具３へ供給される。
しかし、必ずしも建物１で使用する水道水の全てを浄化して塩素を添加する必要はなく、浄化材の上流側で配管を分岐させ、水道水の一部を浄化せずに浄水を必要としない水道水使用器具に送出する原水系統２７を設けてもよい。この原水系統２７は、セントラル浄水装置２の内部に設けてもよいし（図示せず）、セントラル浄水装置を経由しない独立の配管系統として設けてもよい（図６、図７）。
また、原水系統２７に加えて、または原水系統２７の代わりに、浄化材の下流側かつ塩素添加部の上流側で配管を分岐させ、浄化材を通過した浄水の一部について塩素を添加することなく水道水使用器具に送出する浄水系統を設けてもよい（図示せず）。
【００４４】
このように、浄水に塩素を添加して浄水使用器具へと送出する塩素浄水系統１０のほかに、原水系統２７もしくは浄水系統を設けることにより、特に衛生的な浄水を必要としない水道使用器具には水道水もしくは塩素を添加しない浄水を供給し、塩素を添加した浄水の消費量を節減することができるため、セントラル浄水装置の寿命を長期化するとともに浄水システムのランニングコストを低下させることができる。
図８に、塩素浄水系統１０と、原水系統２７もしくは浄水系統とを具備した浄水システムの例を示す。
【００４５】
図８は、台所の蛇口４と、洗面所の蛇口９と、浴室の蛇口８やシャワーヘッドと、洗濯場の洗濯機７と、トイレの便器６とに給水する建物１の浄水システムの例１から例８を示す表である。また、台所、洗面所、浴室には、水を加熱して出すことのできる給湯器５を、他の蛇口等から独立して設けている。
台所では、水が飲食に用いられるため、最も衛生的で安全な水が必要となる。洗面所では、歯磨きやうがい等水を口に含む使途に用いるため、台所に次いで衛生的で安全な水の必要性が高い。浴室では、水が人の肌や髪に直接触れることになるため、洗面所に次いで衛生的で安全な水の必要性が高い。洗濯機で用いる水は衣服を介して人の肌に間接的に触れることになるため、浴室に次いで衛生的で安全な水であることが望ましい。他方、トイレの便器に用いる水は、ウォシュレットを設けた場合を除き、基本的に衛生的で安全な水を用いる必要性は低い。
【００４６】
以上より、例１では、トイレの便器６が原水系統２７もしくは浄水系統と接続され、その他の器具が塩素浄水系統１０と接続されている。
また、例５では、例１において、台所、洗面所、浴室の給湯器５が原水系統２７もしくは浄水系統と接続されている。
【００４７】
例２では、トイレの便器６、洗濯所の洗濯機７が原水系統２７もしくは浄水系統と接続され、その他の器具が塩素浄水系統１０と接続されている。
また、例６では、例２において、台所、洗面所、浴室の給湯器５が原水系統２７もしくは浄水系統と接続されている。
【００４８】
図６に示すように、例３では、トイレの便器６、洗濯所の洗濯機７、浴室の蛇口８やシャワーヘッドが原水系統２７もしくは浄水系統と接続され、台所の蛇口４、洗面所の蛇口９、台所、洗面所、浴室の給湯器５が塩素浄水系統１０と接続されている。
また、例７では、例３において、台所、洗面所、浴室の給湯器５が原水系統２７もしくは浄水系統と接続されている。
【００４９】
図７に示すように、例４では、トイレの便器６、洗濯所の洗濯機７、浴室の蛇口８やシャワーヘッド、洗面所の蛇口９が原水系統２７もしくは浄水系統と接続され、台所の蛇口、台所、洗面所、浴室の給湯器が塩素浄水系統１０と接続されている。
また、例８では、例４において、台所、洗面所、浴室の給湯器５が原水系統２７もしくは浄水系統と接続され、台所の蛇口のみが塩素浄水系統１０と接続されている。
【００５０】
このように、各家庭や各器具の使用状況に応じて、原水、浄水、塩素を添加した浄水を選択的に供給することにより、塩素を添加した浄水の消費量を節減することができ、セントラル浄水装置の寿命を長期化するとともに浄水システムのランニングコストを低下させることができる。
【符号の説明】
【００５１】
１  建物
２  セントラル浄水装置
３  浄水使用器具
４  （台所の）蛇口
５  給湯器
６  便器
７  洗濯機
８  （浴室の）蛇口
９  （洗面所の）蛇口
１０  塩素浄水系統
１１  活性炭フィルター
１１ａ  内側コア
１１ｂ  外側不織布
１１ｃ  活性炭層
１１ｄ  内側不織布
１２  中空糸膜
１３  膜モジュール
１４  次亜塩素酸タンク
１５  定量ポンプ
１６  原水タンク
１７  凝集剤タンク
１８  凝集剤ポンプ
１９  原水ポンプ
２０  逆洗タンク
２１  逆洗ポンプ
２２  逆洗排水パイプ
２３  逆洗排水パイプ
２４  逆洗次亜塩素酸ポンプ
２５  還元剤タンク
２６  還元剤ポンプ
２７  原水系統
２８  三方弁
２９  自動弁
【図２】
0005698630.tif 000002
【図５】
0005698630.tif 000003
【図８】
0005698630.tif 000004
【図１】
0005698630.tif 000005
【図３】
0005698630.tif 000006
【図４】
0005698630.tif 000007
【図６】
0005698630.tif 000008
【図７】
0005698630.tif 000009